(57)【要約】【課題】緑化を伴う法面保護工に適した石詰篭製の法面保護兼緑化用擁壁を得る。【解決手段】石詰篭構造体１Ａ，１Ｂを法面に沿って一段以上敷設することにより緑化用擁壁が形成され、上記石詰篭構造体１Ａ，１Ｂは、栗石３を充填した石詰篭２の上面部分に、吸水性と保水性とを有する基盤マット４を配設すると共に、植物の苗又は種子を植え付けた植生マット５をこの基盤マット４の上に重ねて設置することにより形成され、上記石詰篭構造体１Ａ，１Ｂと法面の土壌２３との間に、透水性は有するが土壌の流出は阻止する多孔質の透水シート６が介設される。【選択図】図１
2011122403.tif 000002
【特許請求の範囲】
【請求項１】
石詰篭構造体を法面に沿って一段以上敷設することにより形成された法面保護兼緑化用擁壁であって、
上記石詰篭構造体は、栗石を充填した金網製の石詰篭の上面部分に、吸水性と保水性とを有する基盤マットを配設すると共に、植物の苗又は種子を植え付けた植生マットをこの基盤マットの上に重ねて設置することにより形成され、
上記石詰篭構造体と法面の土壌との間に、この土壌からの水分は通すが該土壌の流出は阻止する多孔質の透水シートが介設されていることを特徴とする法面保護兼緑化用擁壁。
【請求項２】
上記石詰篭構造体が複数段段積されていて、上段の石詰篭構造体と下段の石詰篭構造体とは、前後に位置をずらすことによって階段状に配設され、
上記基盤マットは、各石詰篭の上面部分全域にわたって配設され、
上記植生マットは、各石詰篭の上面部分の、上段の石詰篭で覆われていない露出部分において上記基盤マット上に配設され、
上記透水シートは、上記石詰篭構造体の底面に沿って位置する第１シート部分と、該石詰篭構造体の土壌と接する側面に沿って位置する第２シート部分とを有することを特徴とする請求項１に記載の緑化用擁壁。
【請求項３】
上記透水シートが、上記第２シート部分の上端に、石詰篭構造体の上面側又は土壌側に向けて折り曲げられた第３シート部分を有することを特徴とする請求項２に記載の緑化用擁壁。
【請求項４】
上記石詰篭が、上面が開放する容器形の胴網と、該胴網の上面を塞ぐ蓋網とからなっていて、上記胴網内に充填された栗石の上部又は上記蓋網の上部に上記基盤マットと植生マットとが重ねて配設されていることを特徴とする請求項１から３の何れかに記載の緑化用擁壁。
【請求項５】
上記基盤マットが、繊維シートからなる多孔質の外皮内に保水材を充填することにより形成されていることを特徴とする請求項１から４の何れかに記載の緑化用擁壁。
【発明の詳細な説明】
【技術分野】
【０００１】
本発明は、緑化を伴う法面保護工に適した法面保護兼緑化用擁壁に関するものであり、更に詳しくは、石詰篭を用いて構築した法面保護兼緑化用擁壁に関するものである。
【背景技術】
【０００２】
護岸工事や路肩工事などにおける傾斜地の補強工事すなわち法面保護工においては、通常、蛇篭やフトン篭などの金網製の石詰篭が使用される。この石詰篭は、円形又は四角形をした金網製の篭形容器で、内部に栗石を詰めた状態で法面に一段又は複数段設置することによって法面保護用の擁壁を構築するものであるが、構築された擁壁が、例えば堤防や路肩あるいは山の傾斜地といったような自然環境の中にある場合には、緑化によって上記石詰篭を目立たなくすることが望ましい。特許文献１及び特許文献２には、四角形の石詰篭を法面保護工に用いた例が示されている。
しかし、上述したように栗石を充填した石詰篭は、通水性に勝れるが保水性は殆どないため、これに直接植物を植えて育成することは不可能に近い。このため、石詰篭で構築された擁壁を緑化することは非常に難しいと言うのが実情である。
【先行技術文献】
【特許文献】
【０００３】
【特許文献１】実公平７−４９９号公報
【特許文献２】実公平７−２８１８１号公報
【発明の概要】
【発明が解決しようとする課題】
【０００４】
本発明の技術的課題は、法面の保護機能と緑化機能とを併せ持つ石詰篭製の法面保護兼緑化用擁壁を提供することにある。
【課題を解決するための手段】
【０００５】
上記目的を達成するため、本発明の緑化用擁壁は、石詰篭構造体を法面に沿って一段以上敷設することにより形成され、上記石詰篭構造体は、栗石を充填した金網製の石詰篭の上面部分に、吸水性と保水性とを有する基盤マットを配設すると共に、植物の苗又は種子を植え付けた植生マットをこの基盤マットの上に重ねて設置することにより形成され、上記石詰篭構造体と法面の土壌との間に、この土壌からの水分は通すが該土壌の流出は阻止する多孔質の透水シートが介設されていることを特徴とする。
【０００６】
本発明において好ましくは、上記石詰篭構造体が複数段段積されていて、上段の石詰篭構造体と下段の石詰篭構造体とは、前後に位置をずらすことによって階段状に配設され、上記基盤マットは、各石詰篭の上面部分全域にわたって配設され、上記植生マットは、各石詰篭の上面部分の、上段の石詰篭で覆われていない露出部分において上記基盤マット上に配設され、上記透水シートは、上記石詰篭構造体の底面に沿って位置する第１シート部分と、該石詰篭構造体の土壌と接する側面に沿って位置する第２シート部分とを有することである。
より好ましくは、上記透水シートが、上記第２シート部分の上端に、石詰篭構造体の上面側又は土壌側に向けて折り曲げられた第３シート部分を有することである。
【０００７】
本発明において、上記石詰篭は、上面が開放する容器形の胴網と、該胴網の上面を塞ぐ蓋網とからなっていて、上記胴網内に充填された栗石の上部又は上記蓋網の上部に上記基盤マットと植生マットとが重ねて配設されている。
【０００８】
上記基盤マットは、繊維シートからなる多孔質の外皮内に保水材を充填することにより形成することができる。
【発明の効果】
【０００９】
本発明によれば、栗石を充填した石詰篭と、吸水性及び保水性を有する基盤マットと、植物の苗又は種子を植え付けた植生マットと、土壌からの水分は通すが土壌の流出は阻止する透水シートとを有機的に組み合わることにより、法面の保護機能と緑化機能とを併せ持つ法面保護兼緑化用擁壁を簡単に構築することができる。
【図面の簡単な説明】
【００１０】
【図１】本発明に係る擁壁の一実施形態を示す断面図である。
【図２】図１の擁壁を構築するのに使用される石詰篭構造体の斜視図である。
【図３】図２の石詰篭構造体の長手方向に沿った断面図である。
【図４】図２の石詰篭構造体の短手方向に沿った断面図である。
【図５】基盤マットの部分拡大断面図である。
【図６】石詰篭構造体の他の構成例を示す平面図である。
【図７】図６の石詰篭構造体の短手方向に沿った断面図である。
【発明を実施するための形態】
【００１１】
図１には、本発明に係る法面保護兼緑化用擁壁の一実施形態が示されている。この擁壁は、四角いブロック形をした石詰篭構造体１Ａ、１Ｂを上下に複数段段積すると共に、各石詰篭構造体１Ａ、１Ｂと土壌２３との間及び上下の石詰篭構造体１Ａ、１Ｂの間に多孔質の透水シート６を介設することにより構築されたもので、上下の石詰篭構造体１Ａ、１Ｂの位置を前後にずらすことによって全体として階段状に形成されている。
上記石詰篭構造体１Ａ、１Ｂは、左右方向（紙面に垂直な方向）にも複数個連なっているが、それらの図示は省略されている。
【００１２】
上記石詰篭構造体１Ａ、１Ｂは、図２−図４に擁壁の最上段（第１段目）の石詰篭構造体１Ａについて代表的に示すように、内部に栗石３が充填された金網製好ましくは菱形金網製の上記石詰篭２と、この石詰篭２の上面部分に配設された基盤マット４及び植生マット５とによって形成されている。
【００１３】
上記石詰篭２は、上面が開放する四角い容器形をした胴網７と、この胴網７の上面を塞ぐ蓋網８とからなるもので、上記胴網７及び蓋網８の平面視形状は、一方向に長い長方形である。
上記胴網７は、一方向に長い長方形状をした底面網１０と、該底面網１０の長辺に連結された相対する第１及び第２の側面網１１，１２と、上記底面網１０の短辺に連結された相対する第３及び第４の側面網１３，１４とからなるものである。従って、上記第１及び第２の側面網１１，１２の横方向長さは、第３及び第４の側面網１３，１４の横方向長さより長い。
【００１４】
上記胴網７を形成する場合、上記底面網１０と各側面網１１，１２，１３，１４とを別々に形成し、各々の周囲に取り付けた骨線１６同士を針金やクリップあるいはスクリューストッパ等の連結金具１７で連結することにより該胴網７を形成しても、上記底面網１０と第１及び第２の側面網１１，１２とを１枚の菱形金網で一連に形成し、他の第３及び第４の側面網１３，１４は別体に形成して、それらを容器形に組み立てることにより該胴網７を形成しても良い。
また、上記胴網７と蓋網８との連結は、該蓋網８の周囲に取り付けた骨線１８と、上記各側面網１１，１２，１３，１４の上端に取り付けた骨線１６とを、上述した連結金具１７で連結することにより行われる。
【００１５】
上記基盤マット４は、図５に示すように、織布や不織布等の多孔質で吸水性及び保水性を有する柔軟な繊維シートで形成された中空の外皮２０内に保水材２１を充填して形成したもので、平面視形状が長方形の平板状をなし、マット全体として良好な吸水性及び保水性と毛細管現象による水分の浸透性とを有するものである。
【００１６】
上記保水材２１としては、通常の土砂や、観葉植物の水耕栽培（ハイドロカルチャー）で使用される多孔質の粒状土などがあり、それらが単独で又は種類の違うものを適量ずつ混合した状態で使用される。また、保水材２１の形状は、粒状、粉末状あるいは棒状等、マット全体として平板状に形成できるものであれば良く、特に制約されない。さらに、近年砂漠を緑化するための土壌保水材としても用いられている高吸水性高分子材料を用いることもできる。あるいは、この高吸水性高分子材料と通常の土砂や多孔質の粒状土等を適量混合して用いることもできる。
【００１７】
なお、上記粒状土には、粘度を加熱、発泡させて粒状に形成したものや、炭を粒状にしもの、天然ゼオライトを用いたものなどがあり、それらを上記保水材２１として使用する場合の好ましい粒径は１〜５ｍｍ程度であり、より好ましくは２〜３ｍ程度である。
また、上記基盤マット４の厚さは、上記植生マット５と同等かそれ以上であることが望ましい。
【００１８】
一方、上記植生マット５は、不織布等の多孔質で吸水性及び保水性を有する柔軟な繊維シートに、植物の苗又は種子を植え付けたもので、平面視形状が長方形をなすものである。ここで使用される植物としては、例えば芝のように、根茎が地表近くを這うものが好ましい。
【００１９】
ここで、擁壁の第１段目に位置する上記石詰篭構造体１Ａにおいては、上記基盤マット４が、上記胴網７の内部に充填された栗石３の上に載置された状態で、該胴網７の内部のほぼ全域を覆うように配設され、この基盤マット４の上面全体に上記植生マット５が重ねて載置されている。そして、これらの基盤マット４と植生マット５とを覆うように上記蓋網８が胴網７の上面に取り付けられている。従って、上記基盤マット４と植生マット５とは、石詰篭２の内部に配設されているが、その配設位置は実質的に該石詰篭２の上面部分である。
上記基盤マット４と植生マット５とは、針金等の連結金具で互いに連結されていても良い。
【００２０】
これに対し、擁壁の第２段目以下の上記石詰篭構造体１Ｂにおいては、図１に示すように、上記基盤マット４が石詰篭２の内部のほぼ全域にわたって配設されているが、植生マット５は、該石詰篭２の内部の、上段の石詰篭構造体１Ａ又は１Ｂで覆われていない露出部分だけか、又は該露出部分とその近辺だけに配設されている。
【００２１】
上記石詰篭構造体１Ａ，１Ｂにおいて、上記基盤マット４の少なくとも一辺は、石詰篭２の何れかの側面網の内側又は外側において該側面網即ち石詰篭２の側面に沿って下向きに折り曲げられていても良い。該基盤マット４を側面網の外側に延出させて下向きに折り曲げる場合には、該基盤マット４の端部に複数の切れ目を入れ、短冊状となった部分を上記側面網の網目から石詰篭の外部に導出させて下向きに折り曲げれば良い。また、この短冊状の部分は、上記透水シート６に接触させることが望ましく、特に、石詰篭２と土壌との間に介在する第２シート部分６ｂ（図１参照）に接触させることが望ましい。従ってこの場合には、上記短冊状の部分が、上記石詰篭２の４つの側面網のうち、土壌２３に接する第１の側面網１１側に形成されることになる。
【００２２】
また、上記透水シート６は、透水性を有していて、土壌２３中の水分は石詰篭構造体１Ａ，１Ｂ側に向けて流通あるいは滲出させるが、該土壌２３の流出は阻止するもので、不織布や織布等の繊維シート、微小な網目を有するネット、微小な孔を多数開けた合成樹脂製穿孔シート等で形成され、各石詰篭構造体１Ａ，１Ｂ毎に別々に配設されている。この透水シート６は、上記石詰篭構造体１Ａ，１Ｂの底面即ち底面網１０に沿って横向きに延在する第１シート部分６ａと、該石詰篭構造体１Ａ，１Ｂの土壌２３と隣接する側面即ち第１の側面網１１に沿って縦向きに延在する上記第２シート部分６ｂと、該第２シート部分６ｂの上端から土壌２３側に向けて横向きに延びる第３シート部分６ｃとからなっていて、この第３シート部分６ｃは、上段の石詰篭構造体に沿って配設された透水シート６の第１シート部分６ａの下面と接触している。
【００２３】
しかし、上記第３シート部分６ｃは、図示した方向とは逆方向に折曲することにより、石詰篭構造体１Ａ，１Ｂの上面すなわち蓋網８に沿って延在させることもできる。この場合、第２段目以下の石詰篭構造体１Ｂにおいては、この第３シート部分６ｃが、上下の石詰篭構造体の間に挟持されることになる。
【００２４】
また、上記透水シート６の第１シート部分６ａは、必ずしも石詰篭構造体１Ａ，１Ｂの底面全体にわたって延在している必要はなく、下段の石詰篭構造体１Ｂと重ならない底面部分に少なくとも形成されていれば良い。
【００２５】
かくして形成された擁壁において、降雨等により水分が各石詰篭構造体１Ａ，１Ｂの基盤マット４に直接供給されるか、あるいは、法面を流下したり上記透水シート６を通じて土壌２３から滲出したりした水分が上記基盤マット４に供給されると、この水分は、該基盤マット４に吸収されて内部の保水材２１に蓄えられる。
【００２６】
一方、上記石詰篭構造体１Ａ，１Ｂの植生マット５に植え付けられた植物の苗又は種子は、上記基盤マット４から直接あるいは植生マット５を通じて水分を供給されることにより、これらの植生マット５と基盤マット４との間や、外皮２０を通して基盤マット４の内部などに根を張りながら次第に成長し、擁壁全体を緑化させる。
このとき、上記基盤マット４は、植物が根を張って成長するための育成床としての役目をも果たすが、その内部の保水材によって水分が蓄えられているため、植物に対して水分を安定的に供給し続けることができ、植物生育のために長期間有効に機能する。
【００２７】
また、上記土壌２３中の水分は、透水シート６を通して各石詰篭構造体１Ａ，１Ｂ側に向けて支障なく排出され、一部が上記基盤マット４に吸収、保存されて緑化のために使用される。これに対して上記土壌２３は、透水シート６に遮断されて石詰篭構造体１Ａ側に流出するのが防止され、その位置に止まる。この結果、効率良い排水と確実な土留めとによって法面は安定することになる。
【００２８】
上記基盤マット４は、一枚物である必要はなく、複数に分割されていても良い。植生マット５も同様に、複数に分割されていても構わない。
また、上記基盤マット４は、必ずしも石詰篭２の上面全域に配設する必要はなく、石詰篭構造体１Ａ，１Ｂの大きさやその設置態様等によっては該石詰篭２の上面の一部の領域だけに配設することも可能である。ただし、上記植生マット５は、必ず該基盤マット４の上に重ねて配設される。
【００２９】
上記実施形態においては、上記基盤マット４及び植生マット５が石詰篭２の内部に配設されているが、これらの基盤マット４及び植生マット５は、石詰篭２の外部に配設することもできる。図６及び図７には、上記基盤マット４及び植生マット５を石詰篭２の外部に配設して形成した石詰篭構造体３０が例示されている。
【００３０】
この図示された石詰篭構造体３０は、図１の石詰篭構造体１Ａと同様に擁壁の第１段目に配設されるもので、上記基盤マット４が石詰篭２における蓋網８の上面全域にわたって載置され、この基盤マット４の上面全体に上記植生マット５が重ねて載置されている。そして、上記基盤マット４と植生マット５との重合体が、該重合体の上面を長手方向及び短手方向に横切るようにして相対する側面網１１，１２又は１３，１４間に掛け渡された複数の針金からなる固定部材２６により、該石詰篭２に固定されている。
【００３１】
この場合、上記基盤マット４の端部は、図示したように、石詰篭２の外側面に沿って下向きに折り曲げ、この折り曲げた部分を吸水部４ａとして上記透水シート６に接触させることができる。このように構成することにより、土壌２３中の水分が、上記透水シート６を透過したあとこの吸水部４ａを通じて基盤マット４内に取り込まれ易くなる。
上記吸水部４ａの上下幅Ｈは、図示した例では石詰篭２の側面網１１の上下幅（高さ）の約１／３程度に形成されているが、その上下幅Ｈに特に制限はなく、上記側面網１１の上下幅の約１／２であっても、該側面網１１の上下幅と同じであっても構わない。
【００３２】
上記石詰篭構造体３０の上記以外の構成は、実質的に図２〜図４の石詰篭構造体１Ａと同じであるから、それらの主要な同一構成部分に上記石詰篭構造体１Ａと同じ符号を付してその説明は省略する。
上記石詰篭構造体３０を擁壁の第２段目以下に設置するものとして構成する場合は、上記基盤マット４が、石詰篭２における蓋網８の上面全域にわたって載置され、植生マット５は、該石詰篭２の上段の石詰篭構造体１Ａ又は１Ｂで覆われていない露出部分（図１参照）において上記基盤マット４上に重ねて配設される。
なお、この石詰篭構造体３０においても、その設置態様等によっては、上記基盤マット４が石詰篭２の上面の一部だけに配設されることもある。
【００３３】
また、上記石詰篭構造体３０において、上述したように針金製の固定部材２６で基盤マット４及び植生マット５を固定する代わりに、植生マット５の上から石詰篭２と同じ大きさの金網製の抑え用網板を被せ、この網板の周囲を針金等の金具で石詰篭２の適宜位置に連結して固定しても良い。この場合、上記網板が固定部材２６を形成する。この網板は、上記蓋網８と同様のものを使用することができるが、網目は蓋網８より大きくても構わない。
【００３４】
図示した実施形態では、石詰篭構造体が複数段段積されているが、この石詰篭構造体は１段だけであっても良い。この場合に好ましくは、基盤マット４及び植生マット５が、図１の擁壁における最上段の石詰篭構造体１Ａの場合と同様に、石詰篭２の上面部分のほぼ全域にわたり配設される。
【符号の説明】
【００３５】
１Ａ，１Ｂ，３０      石詰篭構造体
２      石詰篭
３      栗石
４      基盤マット
５      植生マット
６      透水シート
６ａ      第１シート部分
６ｂ      第２シート部分
６ｃ      第３シート部分
７      胴網
８      蓋網
２０      外皮
２１      保水材
２３      土壌
【図１】
2011122403.tif 000003
【図２】
2011122403.tif 000004
【図３】
2011122403.tif 000005
【図４】
2011122403.tif 000006
【図５】
2011122403.tif 000007
【図６】
2011122403.tif 000008
【図７】
2011122403.tif 000009